【手続補正書】
【提出日】平成23年11月17日(2011.11.17)
【手続補正１】
【補正対象書類名】明細書
【補正対象項目名】００１３
【補正方法】変更
【補正の内容】
【００１３】
上記目的を達成するため、請求項１記載の発明は、透明基板上に形成された回折構造を有する光学素子において、互いに垂直な３つの軸、Ｘ軸、Ｙ軸、Ｚ軸のうち、前記Ｘ軸が前記回折素子への入射光の進行方向に一致するように、前記Ｙ軸が前記入射光に含まれるＳ偏光成分の偏光方向に一致するように、前記Ｚ軸が前記入射光に含まれるＰ偏光成分の偏光方向に一致するように前記回折構造を配置したとき、前記回折素子は、Ｙ軸方向を周期方向として入射光の波長以上のピッチからなる複数の周期構造を有し、前記複数の前記周期構造は、それぞれ、入射光の波長以下のピッチを有するとともに高さが互いに同じ凹凸の溝深さからなるサブ波長凹凸構造を有し、前記サブ波長凹凸構造の前記凹凸は、屈折率の異なる層がＸ軸方向に向けてジグザグの凹凸をなすように互い違いに積層されて形成されており、前記入射光が前記複数の前記周期構造に応じて回折し、前記サブ波長凹凸構造に応じてＰ偏光成分、偏光成分の何れの偏光成分で回折するかの偏光選択性を有することを特徴とする。
【手続補正２】
【補正対象書類名】明細書
【補正対象項目名】００１４
【補正方法】変更
【補正の内容】
【００１４】
請求項２記載の発明は、請求項１記載の光学素子において、前記サブ波長凹凸構造の前記ピッチは前記入射光の波長の１／２以下であることを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
請求項３記載の発明は、請求項１または２記載の光学素子において、透過型または反射型であることを特徴とする。
【手続補正５】
【補正対象書類名】明細書
【補正対象項目名】００１７
【補正方法】変更
【補正の内容】
【００１７】
請求項４記載の発明は、請求項１ないし３の何れか１つに記載の光学素子を複数有し、何れかの光学素子を経た光が他の光学素子に対する入射光となることを特徴とする。
【手続補正６】
【補正対象書類名】明細書
【補正対象項目名】００１８
【補正方法】変更
【補正の内容】
【００１８】
請求項５記載の発明は、請求項１ないし４の何れか１つに記載の光学素子を有し、記録媒体に情報を記録し及び／又は記録媒体に記録されている情報を読み取る光ピックアップにある。
【手続補正７】
【補正対象書類名】明細書
【補正対象項目名】００１９
【補正方法】変更
【補正の内容】
【００１９】
請求項６記載の発明は、請求項５記載の光ピックアップを有し、この光ピックアップによって記録媒体の情報の処理を行う光情報処理装置にある。
【手続補正８】
【補正対象書類名】明細書
【補正対象項目名】００２０
【補正方法】変更
【補正の内容】
【００２０】
請求項７記載の発明は、請求項１ないし４の何れか１つに記載の光学素子と、この光学素子を経た光を減衰させる減衰手段とを有する光減衰器にある。
【手続補正９】
【補正対象書類名】明細書
【補正対象項目名】００２１
【補正方法】変更
【補正の内容】
【００２１】
請求項８記載の発明は、請求項１ないし４の何れか１つに記載の光学素子と、この光学素子を経た光の偏光方向を変換する変換素子とを有する偏光変換素子にある。
【手続補正１０】
【補正対象書類名】明細書
【補正対象項目名】００２２
【補正方法】変更
【補正の内容】
【００２２】
請求項９記載の発明は、請求項１ないし４の何れか１つに記載の光学素子、または、請求項７記載の光減衰器、または、請求項８記載の偏光変換素子を有し、前記光学素子を経た光を投射するプロジェクタ光学系にある。
【手続補正１１】
【補正対象書類名】明細書
【補正対象項目名】００２３
【補正方法】変更
【補正の内容】
【００２３】
請求項１０記載の発明は、請求項１ないし４の何れか１つに記載の光学素子、または、請求項５記載の光ピックアップ、または、請求項６記載の光情報処理装置、または、請求項７記載の光減衰器、または、請求項８記載の偏光変換素子、または、請求項９記載のプロジェクタ光学系を有する光学機器にある。
【手続補正１２】
【補正対象書類名】明細書
【補正対象項目名】００２４
【補正方法】変更
【補正の内容】
【００２４】
本発明は、透明基板上に形成された回折構造を有する光学素子において、互いに垂直な３つの軸、Ｘ軸、Ｙ軸、Ｚ軸のうち、前記Ｘ軸が前記回折素子への入射光の進行方向に一致するように、前記Ｙ軸が前記入射光に含まれるＳ偏光成分の偏光方向に一致するように、前記Ｚ軸が前記入射光に含まれるＰ偏光成分の偏光方向に一致するように前記回折構造を配置したとき、前記回折素子は、Ｙ軸方向を周期方向として入射光の波長以上のピッチからなる複数の周期構造を有し、前記複数の前記周期構造は、それぞれ、入射光の波長以下のピッチを有するとともに高さが互いに同じ凹凸の溝深さからなるサブ波長凹凸構造を有し、前記サブ波長凹凸構造の前記凹凸は、屈折率の異なる層がＸ軸方向に向けてジグザグの凹凸をなすように互い違いに積層されて形成されており、前記入射光が前記複数の前記周期構造に応じて回折し、前記サブ波長凹凸構造に応じてＰ偏光成分、偏光成分の何れの偏光成分で回折するかの偏光選択性を有するので、光をその偏光方向に応じて特定の次数に回折し得る、たとえばスパッタリングを用いた方法により製造を容易化可能であるとともに同時に多数を製造可能であり、薄型化、軽量化が可能であり、材料選択の自由度が広く、また組み立てを省略した低廉化可能な、ブレーズド型よりも強度を向上可能な光学素子を提供することができる。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
透明基板上に形成された回折構造を有する光学素子において、
互いに垂直な３つの軸、Ｘ軸、Ｙ軸、Ｚ軸のうち、
前記Ｘ軸が前記回折素子への入射光の進行方向に一致するように、
前記Ｙ軸が前記入射光に含まれるＳ偏光成分の偏光方向に一致するように、
前記Ｚ軸が前記入射光に含まれるＰ偏光成分の偏光方向に一致するように前記回折構造を配置したとき、
前記回折素子は、Ｙ軸方向を周期方向として入射光の波長以上のピッチからなる複数の周期構造を有し、
前記複数の前記周期構造は、それぞれ、入射光の波長以下のピッチを有するとともに高さが互いに同じ凹凸の溝深さからなるサブ波長凹凸構造を有し、
前記サブ波長凹凸構造の前記凹凸は、屈折率の異なる層がＸ軸方向に向けてジグザグの凹凸をなすように互い違いに積層されて形成されており、
前記入射光が前記複数の前記周期構造に応じて回折し、前記サブ波長凹凸構造に応じてＰ偏光成分、偏光成分の何れの偏光成分で回折するかの偏光選択性を有することを特徴とする光学素子。
【請求項２】
請求項１記載の光学素子において、
前記サブ波長凹凸構造の前記ピッチは前記入射光の波長の１／２以下であることを特徴とする光学素子。
【請求項３】
請求項１または２記載の光学素子において、
透過型または反射型であることを特徴とする光学素子。
【請求項４】
請求項１ないし３の何れか１つに記載の光学素子を複数有し、何れかの光学素子を経た光が他の光学素子に対する入射光となることを特徴とする光学素子。
【請求項５】
請求項１ないし４の何れか１つに記載の光学素子を有し、
記録媒体に情報を記録し及び／又は記録媒体に記録されている情報を読み取る光ピックアップ。
【請求項６】
請求項５記載の光ピックアップを有し、この光ピックアップによって記録媒体の情報の処理を行う光情報処理装置。
【請求項７】
請求項１ないし４の何れか１つに記載の光学素子と、
この光学素子を経た光を減衰させる減衰手段とを有する光減衰器。
【請求項８】
請求項１ないし４の何れか１つに記載の光学素子と、
この光学素子を経た光の偏光方向を変換する変換素子とを有する偏光変換素子。
【請求項９】
請求項１ないし４の何れか１つに記載の光学素子、または、請求項７記載の光減衰器、または、請求項８記載の偏光変換素子を有し、
前記光学素子を経た光を投射するプロジェクタ光学系。
【請求項１０】
請求項１ないし４の何れか１つに記載の光学素子、または、請求項５記載の光ピックアップ、または、請求項６記載の光情報処理装置、または、請求項７記載の光減衰器、または、請求項８記載の偏光変換素子、または、請求項９記載のプロジェクタ光学系を有する光学機器。